(57)【要約】      （修正有）【課題】差動ピッチを調整し、布送り時の縫い目ピッチを便利に変えることができる、操作に便利な差動制御機構を提供する。【解決手段】差動制御機構は、差動機構の一側に付加され、主に軸体１１、つまみ１２、指針調節板１３、アーム１４、複数のリンク部材１６、クランクを連結して成り、つまみを利用して軸体１９とアーム１４を連動して回動させ、複数のリンク部材１６とクランクを順に揺動及び回動させ、連動して差動機構の揺動幅を変え、縫製時の縫い目のピッチを変えることができ、さらに、調節固定板により揺動機構の運転速度を変え、布送りの速度を増減させることができる。【選択図】図２
0003143512.tif 000002
【実用新案登録請求の範囲】
【請求項１】
差動制御機構であって、主に軸体、つまみ、指針調節板、アーム、駆動部材、複数のリンク部材、クランクを含んで成り、前記軸体が本体ケース内に設置され、前記つまみが前記軸体の一端に固定され、前記本体ケース表面に露出され、前記指針調節板が前記つまみの一側に穿設され、その周縁上にロック片が延伸して設けられ、前記ロック片の一端にロックつまみが設置され、前記指針調節板の前記ロック片に相対して指針部が設けられ、前記アームが動力軸上に穿設され、前記アームの二端にそれぞれ枢着孔が設けられ、且つ、一端から斜め方向に枢着部が延伸して設けられ、前記駆動部材が前記軸体上に穿設され、且つ前記アームの間に穿設され、その一端が前記動力軸上に穿設され、前記複数のリンク部材の第一リンク部材の一端が前記軸体上に穿設され、他端が前記アームの前記枢着部に軸着され、第二リンク部材の一端が前記軸体上に穿設され、第三リンク部材の一端が差動機構のクランク軸と相互に軸着され、前記クランク軸が移動部材と相互に連結され、前記クランクが前記第二リンク部材と前記第三リンク部材間に軸着されたことを特徴とするミシンに用いる差動制御装置。
【請求項２】
前記指針部の一側に目盛板が設置されたことを特徴とする、請求項１に記載のミシンに用いる差動制御装置。
【請求項３】
前記アームがコの字形を呈することを特徴とする、請求項１に記載のミシンに用いる差動制御装置。
【請求項４】
前記クランクがL字形を呈し、その二端にそれぞれ枢着部が設けられ、その曲折箇所に支持孔が設けられたことを特徴とする、請求項１に記載のミシンに用いる差動制御装置。
【考案の詳細な説明】
【技術分野】
【０００１】
本考案は、ミシンに用いる差動制御装置に関し、縫製時の縫い目ピッチと布の布送り速度の調整に便利な差動制御装置に関する。
【背景技術】
【０００２】
一般によく見受けられるミシンは、ほとんどが工業用と家庭用の二種類に分かれており、工業用ミシンは一台が一つの機能を持ち、且つ多様な等級があり、家庭用ミシンは一台が多機能で、少なくとも直線縫い、曲線縫い、布縁かがり、掬い縫い、三重線縫い、ゴム縫い、ボタンホールかがり、密度調整等の機能を備えている。工業用ミシンまたは家庭用ミシンを問わず縫製を行うとき、一般に運針装置の下方に布送り装置が取り付けられており、布を送り進めるために用いることができる。この布送り装置は動力装置に接続されて動力を得、その交互の揺動動作（以下、差動という）により、２つのラックを動かして往復の水平移動をさせ、ラックと布の間の摩擦力により、布を布送り装置に伴って水平移動させることができ、布の縫製時の縫い目ピッチの調整に用いられる。毎回の布の送りに伴い、布にいせ込みを発生させ、ゴムベルトやレース布ベルトの縫製に便利である。さらに、差動装置の下方に調節固定板が設置され、布送り装置の動力軸と相互に接続されており、差動装置の運転速度を変えるために用いることができる。
【０００３】
しかしながら、差動装置は本体ケース内に覆われており、２つのラックのみが本体ケース上に外露され、従来差動ピッチの調整を行うとき、外部から直接調整を行うことができず、その調整時は本体ケースを取り外す必要があり、調整時の困難度が増している。加えて、差動ピッチの幅を調整時に制御することが容易ではなく、専門の技術者に調整を依頼する必要があり、一般の操作者にとって作業効率が低くなるという欠点があるため、改良が必要である。
【考案の開示】
【考案が解決しようとする課題】
【０００４】
本考案の主な目的は、差動ピッチを調整し、布送り時の縫い目ピッチを便利に変えることができる、操作に便利な差動制御装置を提供することにある。
【課題を解決するための手段】
【０００５】
上述の目的を達するため、本考案の差動制御装置は、主に２つの軸体、つまみ、指針調節板、アーム、駆動部材、複数のリンク部材、クランクを含み、そのうち、つまみは軸体の一端に固定され、その軸体とアームが連結されて一体を成し、駆動部材の一端が動力軸上に穿設され、他端に第一リンク部材と第二リンク部材が軸着され、さらに第二リンク部材とクランクが相互に軸着され、このクランクが本体ケース上に軸着されると共に、このクランクの他端がさらに第三リンク部材と軸着され、第三リンク部材と差動装置のクランク軸が相互に軸着され、このクランク軸の他端がさらに移動部材と相互に連結され、移動部材上部に後ろ送り歯が設置される。さらに、差動装置の一側に揺動装置が設置され、この揺動装置の運転時、２つの揺動軸が発生する交互の揺動動作を利用して各揺動軸の一端に設けられた作動部材を動かし往復移動させ、且つ、２つの作動部材間に移動部材が設置され、この移動部材上部に前送り歯が設置される。
【０００６】
つまみを反時計回りに回動（数字が大きい方向に向かって回動）させると、アームを反時計回りに回動させることができ、且つアームの一端の第一リンク部材を連動して揺動させ、第一リンク部材が反時計回りに揺動するとき、第二リンク部材を連動して反時計回りに揺動させるため、クランクも反時計回りに回動され、クランクの他端の第三リンク部材が反時計回りの揺動に変わり、且つクランク軸を時計回りに回動させ、移動部材を内側に向かって水平移動させ、後ろ送り歯間の揺動幅が大きくなり、前送り歯のピッチが小さくなって、縫い目のピッチ幅が大きくなる。反対に、つまみを時計回りに回動（数字が小さい方向に向かって回動）させると、移動部材が外側に向かって水平移動され、後ろ送り歯の揺動幅が小さくなり、前送り歯のピッチが大きくなって、縫い目ピッチ幅を小さくする目的を達することができる。
【０００７】
上述をまとめると、本考案は移動部材の移動時に後ろ送り歯を水平往復移動させ、前、後ろ送り歯間の往復移動の幅とそのピッチを変え、布送り時の縫い目ピッチを変えるものであり、且つ、差動装置の一側に調節固定板が設けられ、ミシンの動力軸と動力接続され、布送りの速度を変えるために用いられる。さらに、指針調節板の一側に目盛板が設置され、揺動の幅と差動ピッチの調整時より正確に行うことができ、縫製後の完成品の品質を大幅に向上することができる。
【考案の効果】
【０００８】
上述のように、本考案の差動制御装置（以下本案と呼ぶ）は、次のような利点がある：
1.        
図１と図２に示すように、本案の差動制御装置１は、つまみ１２を利用して軸体１１を回動させると、複数のリンク部材１６、クランク１７及びクランク軸３１を連動してそれぞれ揺動と回動を行わせることができ、且つ、その揺動及び回動の方向はそれぞれ異なり、クランク軸３１の一端の移動部材３２の水平移動時の揺動幅を変え、後ろ送り歯３３と前送り歯４４の相対間のピッチを増減し、布を縫製するときの縫い目ピッチを変えることができ、本体ケース２１外部から調整を行うため非常に便利であり、作業効率が向上される。
2.        
本案はつまみ１２の一側に設置された目盛板１３４で、差動ピッチの調整をより正確にすることができ、縫製後の完成品の品質を大幅に向上できる。
【考案を実施するための最良の形態】
【０００９】
本考案の内容について、以下図面に基づき詳細に説明する。図１、図２、図３に本考案の最良の実施例の組み込み時の立体図、立体分解図及び調整を示す立体図をそれぞれ示す。本考案の差動制御装置１は、ミシン２の本体ケース２１内に設置され、その一端が動力軸２２上に設けられ、この動力軸２２は差動装置３と揺動装置４を動かすために用いられ、差動装置３はまたクランク軸３１、クランク軸３１の一端二接続された移動部材３２、及び移動部材３２上部の後ろ送り歯３３を含み、揺動装置４は２つの揺動軸４１、及び揺動軸４１の一端に設置された作動部材４２を含み、２つの作動部材４２間に移動部材４３が設置され、この移動部材４３上部に前送り歯４４が設置される。前記差動制御装置１は主に次を含む。
【００１０】
本体ケース２１内に設置された軸体１１はその一端が本体ケース２１上に位置するスリーブ１１１に穿通され、前記其軸体１１は本体ケース２１内で往復回動することができる。
【００１１】
前記軸体１１の一端に固定されたつまみ１２は、本体ケース２１表面に露出され、軸体１１と連動を形成し、即ち、つまみ１２を回動させると、軸体１１をそれに伴って回動させることができる。
【００１２】
つまみ１２の一側にネジで固定された指針調節板１３は、その周縁上にロック片１３１が延伸して設けられ、ロック片１３１の一端にロックつまみ１３２が設置され、このロックつまみ１３２は指針調節板１３をロックすることができ、指針調節板１３はロック片１３１に相対して指針部１３３が設けられ、指針部１３３の一側に目盛板１３４が設置され、この目盛板１３４上には小から大に排列された数字が設けられ、使用者が便利の調整でき、且つその調整状態を識別することができる。
【００１３】
軸体１１上に枢設されたアーム１４はコの字形を呈しており、このアーム１４の二端にそれぞれ枢着孔１４１が設けられ、且つ、アーム１４の一端には斜め方向に延伸された枢着部１４２が設けられる。
【００１４】
前記動力軸２２上に穿設された駆動部材１５は、他端が軸体１９を利用し第一リンク部材１６１と第二リンク部材１６２に軸着され、前記第一リンク部材１６１の他端はアーム１４の枢着部１４２に軸着され、駆動部材１５は前記動力軸２２上に穿設され、軸体１９上の第一リンク部材１６１と第二リンク部材１６２を支持し、その連動時の位置を保つことができる。
【００１５】
複数の相互に軸着されたリンク部材１６のうち、第一リンク部材１６１は一端が軸体１９上に穿設され、他端はアーム１４の枢着部１４２に軸着され、第二リンク部材１６２は一端が軸体１９上に穿設され、他端がクランク１７に軸着される。このため、アーム１４の回動時に第一リンク部材１６１を揺動させ、且つ軸体１９を回動させることができ、第二リンク部材１６２は軸体１９の回動に伴って揺動を発生する。さらに、第三リンク部材１６３は一端がクランク１７の他端に軸着され、他端が前記差動装置３のクランク軸３１と相互に軸着される。
【００１６】
第二リンク部材１６２と第三リンク部材１６３間に軸着されたクランク１７はL字形を呈し、且つ二端にそれぞれ枢着部１７１が設けられ、その曲折箇所に支持孔１７２が形成され、クランク１７が支持孔１７２を支点として回動するとき、クランク１７二端にそれぞれ軸着された第二リンク部材１６２と第三リンク部材１６３が相反する方向に揺動される。
【００１７】
上述をまとめると、使用者は本体ケース２１外部から差動ピッチの調整を行うことができ、且つ操作が非常に便利であり、反時計回りにつまみ１２を回動（目盛板の数字が大きい方向に回動）させると、軸体１１を反時計回りに回動させ、アーム１４に反時計回りの揺動を発生させ、且つ第一リンク部材１６１と軸体１９上の第二リンク部材１６２を連動して同時に反時計回りに揺動させ、第二リンク部材１６２はクランク１７を時計回りに変えて回動させることができ、クランク１７の他端に連結された第三リンク部材１６３は同様に反時計回りに変えて揺動される。このため、第三リンク部材１６３はクランク軸３１を連動して時計回りの回動を発生させ、このクランク軸３１の他端に連結された移動部材３２を内側に向かって水平移動させ、移動部材３２の揺動幅を大きくして縫製時の縫い目ピッチを大きくすることができる。反対に、つまみ１２を時計回りに回動（目盛板の数字が小さい方向に回動）させると、移動部材３２は外側に向かって水平移動し、且つ後ろ送り歯３３を外側に向かって水平移動させ、移動部材３２の揺動幅を小さくし、縫製時の縫い目ピッチを小さくすることができる。本考案の差動制御装置１はつまみ１２を回動させると、アーム１４、複数のリンク部材１６、クランク１７及びクランク軸３１を連動して動作させ、２つの移動部材３２、４３の相対移動時のピッチ幅を変え、縫い目のピッチを調整する目的を達することができる。また、揺動装置４の一側に調節固定板１８が設置され、ミシン２の動力軸２２と動力接続され、前送り歯４４の往復移動の速度を調整し、さらに布送りの速度を調整することができる。さらに、つまみ１２の一側に設置された目盛板１３４は、差動ピッチの調整時により正確に行うことを可能にし、縫製後の完成品の品質を大幅に向上することができる。
【００１８】
図４から図７に本考案の最良の実施例の連続動作を示す。同時に図２と図３も参照する。本考案の差動制御装置１は調整を行うとき、次の手順を経る（本実施例においては、差動ピッチを大きくする）：
【００１９】
第一手順、ロックつまみ１３２を緩める：反時計回りにロックつまみ１３２を回動させて緩め、つまみ１２と指針調節板１３が回動できる状態にする。
【００２０】
第二手順、つまみ１２を回動する：本実施例において、反時計回りにつまみ１２を回動（即ち、指針部１３３が目盛板１３４の数字が大きい方向に回動）させると、軸体１１を連動して反時計回りに回動させ、この軸体１１が回動するとき、アーム１４が反時計回りに回動し、且つ第一リンク部材１６１を連動して反時計回りに揺動させ、第一リンク部材１６１と同時に軸体１９上に軸着された第二リンク部材１６２も同時に反時計回りに揺動される。
【００２１】
第三手順、連動調整：第二リンク部材１６２が反時計回りに揺動されると、連結されたクランク１７が時計回りに回動され、クランク１７の他端の第三リンク部材１６３が反時計回りに変わって揺動され、且つクランク軸３１が連動して時計回りに回動される。
【００２２】
第四手順、移動部材３２が移動する：クランク軸３１が時計回りに回動されると、移動部材３２が内側に向かって水平移動（図では右側に向かって移動）され、後ろ送り歯３３の揺動幅が大きくなり、前送り歯４４のピッチが小さくなって、縫い目の幅が増大される。さらに、調節固定板１８により揺動装置４の運転速度を変えることができ、本考案は縫い目ピッチを調整できるだけでなく、布送りの速度を調整するために用いることもでき、組み合わせて使用することで使用者のニーズに合わせて調整を行うことができる。
【００２３】
上述の説明は本考案の最良の実施例に基づくものであり、本考案の実施の範囲を制限するものではなく、その他リンク部材の形状、リンク部材の材質及びリンク部材の数等の変化はすべて本考案の範疇に含まれるものとする。このため、３つのリンク部材をより多くのリンク部材に変えたり、使用する材質を変えたり等、本考案の要旨の範囲において、関連技術を熟知した者により行われた同等効果を持つ、或いは簡易な変化や修飾は、本考案の特許範囲内に含まれるものとする。
【００２４】
上述をまとめると、本考案の差動制御装置は、特許の創作性と産業的利用価値を備えており、出願人は特許法の規定に基づき、ここに実用新案登録を出願するものである。
【図面の簡単な説明】
【００２５】
【図１】本考案の最良の実施例の立体図である。
【図２】本考案の最良の実施例の立体分解図である。
【図３】本考案の最良の実施例の調整を示す立体図である。
【図４】本考案の最良の実施例の連続動作図１である。
【図５】本考案の最良の実施例の連続動作図２である。
【図６】本考案の最良の実施例の連続動作図３である。
【図７】本考案の最良の実施例の連続動作図４である。
【符号の説明】
【００２６】
１          差動制御装置
１１        軸体
１１１     スリーブ
１２        つまみ
１３        指針調節板
１３１     ロック片
１３２     ロックつまみ
１３３     指針部
１３４     目盛板
１４        アーム
１４１     枢着孔
１４２     枢着部
１５        駆動部材
１６        リンク部材
１６１     第一リンク部材
１６２     第二リンク部材
１６３     第三リンク部材
１７        クランク
１７１     枢着部
１７２     支持孔
１８        調節固定板
１９        軸体
２          ミシン
２１        本体ケース
２２        動力軸
３          差動装置
３１        クランク軸
３２        移動部材
３３        後ろ送り歯
４          揺動装置
４１        揺動軸
４２        作動部材
４３        移動部材
４４        前送り歯
【図１】
0003143512.tif 000003
【図２】
0003143512.tif 000004
【図３】
0003143512.tif 000005
【図４】
0003143512.tif 000006
【図５】
0003143512.tif 000007
【図６】
0003143512.tif 000008
【図７】
0003143512.tif 000009